(57)【要約】      （修正有）【課題】持ち運びやすく、マスク内面の汚れを防止するマスク用封筒を提供する。【解決手段】マスク用封筒は、第一本体１、第二本体２、および第一本体と第二本体の間に設けられた第一接続部３を含む。第一本体は、第一サブユニット４、第二接続部５および第二サブユニット６を含み、第一サブユニットは、第二接続部によって第二サブユニットに接続される。第二本体は、第三サブユニット７、第三接続部８および第四サブユニット９を含み、第三サブユニットは、第三接続部によって第四サブユニットに接続される。第一本体の第一サブユニットは、第一接続部によって第二本体の第三サブユニットに接続される。第一本体と第二本体は第一接続部に沿って反転し、第二サブユニットは第二接続部に沿って第一サブユニットに向かって反転し、第四サブユニットは第三接続部に沿って第三サブユニットに向かって反転する。【選択図】図１
0003227555.tif 000002
【実用新案登録請求の範囲】
【請求項１】
第一本体、第二本体、および第一本体と第二本体の間に設けられた第一接続部を含むマスク用封筒であって、
前記第一本体は、第一サブユニット、第二接続部および第二サブユニットを含み、前記第一サブユニットは、前記第二接続部によって前記第二サブユニットに接続され、
前記第二本体は、第三サブユニット、第三接続部および第四サブユニットを含み、前記第三サブユニットは、前記第三接続部によって前記第四サブユニットに接続され、
前記第一本体の前記第一サブユニットは、前記第一接続部によって前記第二本体の前記第三サブユニットに接続され、
前記第一本体と前記第二本体は前記第一接続部に沿って反転し、前記第二サブユニットは前記第二接続部に沿って前記第一サブユニットに向かって反転し、前記第四サブユニットは前記第三接続部に沿って前記第三サブユニットに向かって反転する、ことを特徴とする
マスク用封筒。
【請求項２】
前記第一本体、前記第二本体および前記第一接続部は一体的に形成される、ことを特徴とする
請求項１に記載のマスク用封筒。
【請求項３】
前記第一本体と前記第二本体のうちの少なくとも一方は、透明な材料を使用して透明な窓を形成する。
請求項１に記載のマスク用封筒。
【請求項４】
前記第一接続部に対向する前記第一本体の他端は、前記第一接続部に対向する前記第二本体の他端と取り外し可能に接続される、ことを特徴とする
請求項１に記載のマスク用封筒。
【請求項５】
前記第一本体の側辺は、前記第一サブユニットに設けられて前記第一接続部に接続された第一側辺と、前記第一サブユニットと前記第二サブユニットを跨る第二側辺と、前記第二サブユニットに設けられた第三側辺と第四側辺とを含み、前記第二本体は、前記第三サブユニットに設けられて前記第一接続部に接続された第五側辺と、前記第三サブユニットと前記第四サブユニットを跨る第六側辺と、前記第四サブユニットに設けられた第七側辺と第八側辺とを含み、前記第三側辺と前記第一側辺は対向して設置され、前記第五側辺と前記第七側辺は対向して設置され、前記第一側辺、前記第二側辺、前記第三側辺、前記第五側辺、前記第六側辺および前記第七側辺のうちの少なくとも一方には、少なくとも１つのスロットが設けられる、ことを特徴とする
請求項１に記載のマスク用封筒。
【請求項６】
前記スロット内に曲げフックが設けられる、ことを特徴とする
請求項５に記載のマスク用封筒。
【請求項７】
前記第一本体の側辺は、前記第一サブユニットに設けられて前記第一接続部に接続された第一側辺と、前記第一サブユニットと前記第二サブユニットを跨る第二側辺と、前記第二サブユニットに設けられた第三側辺と第四側辺とを含み、前記第二本体は、前記第三サブユニットに設けられて前記第一接続部に接続された第五側辺と、前記第三サブユニットと前記第四サブユニットを跨る第六側辺と、前記第四サブユニットに設けられた第七側辺と第八側辺とを含み、前記第三側辺と前記第一側辺は対向して設置され、前記第五側辺と前記第七側辺は対向して設置され、前記第一サブユニットに設けられた前記第二側辺の部分、および前記第三サブユニットに設けられた前記第六側辺の部分にそれぞれ少なくとも１つの固定フックが設けられる、ことを特徴とする
請求項１に記載のマスク用封筒。
【請求項８】
前記第一本体の側辺は、前記第一サブユニットに設けられて前記第一接続部に接続された第一側辺と、前記第一サブユニットと前記第二サブユニットを跨る第二側辺と、前記第二サブユニットに設けられた第三側辺と第四側辺とを含み、前記第二本体は、前記第三サブユニットに設けられて前記第一接続部に接続された第五側辺と、前記第三サブユニットと前記第四サブユニットを跨る第六側辺と、前記第四サブユニットに設けられた第七側辺と第八側辺とを含み、前記第三側辺と前記第一側辺は対向して設置され、前記第五側辺と前記第七側辺は対向して設置され、前記第二サブユニットには、前記第二サブユニットの反転方向から離れた表面に第一ファスナーが設けられ、前記第四サブユニットには、前記第四サブユニットの反転方向から離れた表面に前記第一ファスナーと整合する第二ファスナーが設けられ、前記第一ファスナーと前記第四側辺の間の距離は、前記第二ファスナーと前記第八側辺の間の距離に等しい、ことを特徴とする
請求項１に記載のマスク用封筒。
【請求項９】
前記第四サブユニットは、前記第四サブユニットの反転方向に近い表面に前記第一ファスナーと整合する第三ファスナーが設けられる、ことを特徴とする
請求項８に記載のマスク用封筒。
【請求項１０】
前記第一ファスナーと前記第四側辺の間の距離は、前記第四側辺と前記第二側辺の間の距離の３分の１である、ことを特徴とする
請求項８に記載のマスク用封筒。
【考案の詳細な説明】
【技術分野】
【０００１】
本考案は、封筒、特に、マスク用封筒に関し、医療機器の分野に属する。
【背景技術】
【０００２】
現在、臨床で使用されている使い捨てマスクは、ほとんどがプラスチック包装袋またはカートンで包装され、通常、個別に包装するのではなく、数十枚に分けて包装される。使用時、個人が１つのみを使用する必要がある場合でも、カートン全体を開封する必要があり、他の未使用のマスクも必然的に空気に曝される。マスクは製造後に包装してカートンに入れるため、マスク間には必然的に静電気または付着が発生し、包装袋またはカートンから取り出した後、マスク本体に触れる可能性が大きく、そして、マスクに耳掛け部または紐結びがあるため、紐結びは包装袋内において直接結びやすい。使用時に解く必要があり、人間の手が必然的にマスクに接触するため、汚染の可能性が高まり、マスクが無駄になり、管理しにくくなる。
【０００３】
スモッグ、皮膚の問題、またはプライバシー保護のため、外出時には再利用可能な非医療用マスクを着用する人も多く、再利用可能なマスクに関して、顔と接触するマスクの内面を清潔に保つ方法は着用者にとって緊急の課題となる。
【０００４】
実際には、深刻な感染性呼吸器疾患が発生した場合、人々が外出するとき、Ｎ９５マスクと医療手術用マスクの両方を４〜６時間ごとに交換する必要がある。マスクの箱全体を開封すると、外で取り出しにくく、そして人の手は必然的に細菌で汚染されるため、消毒せずに交換すれば、他の未使用のマスクが汚染されるだけでなく、すぐに着用するマスクも汚染されやすくなる。また、マスクを着用している間、水飲み、食事などの日常の日常活動のためにもマスクを短時間で外す必要があり、マスクの内面を清潔に保ち、汚染されないようにする方法も考慮すべき問題となる。
【考案の概要】
【考案が解決しようとする課題】
【０００５】
本考案の目的は、マスク用封筒を提供することであり、それは、最小限の容量でマスクを封入できるため、持ち運びやすく、短時間でマスクを外すと、マスク内面の汚れを効果的に防止することができる。
【課題を解決するための手段】
【０００６】
上記目的を達成するために、本開示は、マスク用封筒を提供し、それは、
第一本体、第二本体、および第一本体と第二本体の間に設けられた第一接続部を含む、
【０００７】
前記第一本体は、第一サブユニット、第二接続部および第二サブユニットを含み、前記第一サブユニットは、第二接続部によって前記第二サブユニットに接続され、
前記第二本体は、第三サブユニット、第三接続部および第四サブユニットを含み、前記第三サブユニットは、第三接続部によって前記第四サブユニットに接続され、
前記第一本体の第一サブユニットは、前記第一接続部によって第二本体の第三サブユニットに接続され、
前記第一本体と第二本体は第一接続部に沿って反転し、前記第二サブユニットは第二接続部に沿って第一サブユニットに向かって反転し、前記第四サブユニットは第三接続部に沿って第三サブユニットに向かって反転する。
【０００８】
好ましくは、前記第一本体、第二本体および第一接続部は一体的に形成される。
【０００９】
好ましくは、前記第一本体と前記第二本体のうちの少なくとも一方は、透明な材料を使用して透明な窓を形成する。
【００１０】
好ましくは、第一接続部に対向する前記第一本体の他端は、第一接続部に対向する前記第二本体の他端と取り外し可能に接続される。
【００１１】
好ましくは、前記第一本体の側辺は、第一サブユニットに設けられて第一接続部に接続された第一側辺と、第一サブユニットと第二サブユニットを跨る第二側辺と、第二サブユニットに設けられた第三側辺と第四側辺とを含み、前記第二本体は、第三サブユニットに設けられて第一接続部に接続された第五側辺と、第三サブユニットと第四サブユニットを跨る第六側辺と、第四サブユニットに設けられた第七側辺と第八側辺とを含み、前記第三側辺と第一側辺は対向して設置され、前記第五側辺と第七側辺は対向して設置され、前記第一側辺、第二側辺、第三側辺、第五側辺、第六側辺および第七側辺のうちの少なくとも一方には、少なくとも１つのスロットが設けられる。
【００１２】
好ましくは、前記スロット内に曲げフックが設けられる。
【００１３】
好ましくは、前記第一本体の側辺は、第一サブユニットに設けられて第一接続部に接続された第一側辺と、第一サブユニットと第二サブユニットを跨る第二側辺と、第二サブユニットに設けられた第三側辺と第四側辺とを含み、前記第二本体は、第三サブユニットに設けられて第一接続部に接続された第五側辺と、第三サブユニットと第四サブユニットを跨る第六側辺と、第四サブユニットに設けられた第七側辺と第八側辺とを含み、前記第三側辺と第一側辺は対向して設置され、前記第五側辺と第七側辺は対向して設置され、第一サブユニットに設けられた前記第二側辺の部分、および第三サブユニットに設けられた第六側辺の部分にそれぞれ少なくとも１つの固定フックが設けられる
【００１４】
好ましくは、前記第一本体の側辺は、第一サブユニットに設けられて第一接続部に接続された第一側辺と、第一サブユニットと第二サブユニットを跨る第二側辺と、第二サブユニットに設けられた第三側辺と第四側辺とを含み、前記第二本体は、第三サブユニットに設けられて第一接続部に接続された第五側辺と、第三サブユニットと第四サブユニットを跨る第六側辺と、第四サブユニットに設けられた第七側辺と第八側辺とを含み、前記第三側辺と第一側辺は対向して設置され、前記第五側辺と第七側辺は対向して設置され、前記第二サブユニットには、第二サブユニットの反転方向から離れた表面に第一ファスナーが設けられ、第四サブユニットには、第四サブユニットの反転方向から離れた表面に第一ファスナーと整合する第二ファスナーが設けられ、前記第一ファスナーと第四側辺の間の距離は、第二ファスナーと第八側辺の間の距離に等しい。
【００１５】
好ましくは、前記第四サブユニットは、第四サブユニットの反転方向に近い表面に第一ファスナーと整合する第三ファスナーが設けられる。
【００１６】
好ましくは、前記第一ファスナーと第四側辺の間の距離は、第四側辺と第二側辺の間の距離の３分の１である。
【００１７】
上記解決手段におけるマスク用封筒は、第一本体と第二本体を第一接続部に沿って反転して２つに折り畳むことによって、マスクを収納することができ、さらに、第一サブユニットと第二サブユニットを第二接続部に沿って２つに折り畳み、第三サブユニットと第四サブユニットを第三接続部に沿って２つに折り畳むことによって、マスク用封筒の収納体積を縮小することができ、同時に、側辺にスロットを設け、曲げフックまたは固定フックなどのマスク固定用の耳掛け部または紐結びを設けることによって、マスクを取り出して着用しやすく、そしてきれいに収納しやすい。
【図面の簡単な説明】
【００１８】
【図１】図１は本開示の好ましい実施例におけるマスク用封筒の概略図である。
【図２】図２は本開示の好ましい実施例におけるマスク用封筒の概略図である。
【図３】図３は本開示の好ましい実施例におけるマスク用封筒の概略図（断面図）である。
【図４】図４は本開示の好ましい実施例におけるマスク用封筒の概略図（断面図）である。
【図５】図５は本開示の好ましい実施例におけるマスク用封筒の概略図である。
【図６】図６は本開示の好ましい実施例におけるマスク用封筒の概略図である。
【図７】図７は本開示の好ましい実施例におけるマスク用封筒の概略図である。
【考案を実施するための形態】
【００１９】
以下は、図面および実施例を参照して、本開示における具体的な実施形態をさらに詳細に説明する。以下の実施例は、本開示を説明するために使用されるが、本開示の範囲を限定するために使用されない。
【００２０】
図１は本開示の好ましい実施例におけるマスク用封筒の概略図であり、図１に示すとおり、マスク用封筒は、第一本体１、第二本体２、および第一本体１と第二本体２の間に設けられた第一接続部３を含む。第一本体１は、第一サブユニット４、第二接続部５および第二サブユニット６を含み、第一サブユニット４は、第二接続部５によって第二サブユニット６に接続される。第二本体２は、第三サブユニット７、第三接続部８および第四サブユニット９を含み、第三サブユニット７は、第三接続部８によって第四サブユニット９に接続される。第一本体１の第一サブユニット４は、前記第一接続部３によって第二本体２の第三サブユニット７に接続される。第一本体１と第二本体２は第一接続部３に沿って反転し、第二サブユニット６は第二接続部５に沿って第一サブユニット４に向かって反転し、第四サブユニット９は第三接続部８に沿って第三サブユニット７に向かって反転する。実際の使用では、マスクを２つに折りたたんだ後、第一サブユニットと第二第二サブユニットに沿って配置し、好ましくは、マスクの紐結びまたは耳掛け部はそれぞれ第一本体１と第二本体２の後にあり、第二サブユニット６が第二接続部５に沿って第一サブユニット４に向かって反転し、第四サブユニット９は第三接続部８に沿って第三サブユニット７に向かって反転し、続いて、第一本体１と第二本体２を第一接続部３に沿って反転して２つに折り畳み、封筒の収納効果を向上させるために、マスク用封筒がバラバラにならないように第一本体１と第二本体２の外にあるマスクの紐結びまたは耳掛け部を互いに結びつけることができ、また、追加のテザーを使用してマスク用封筒を結びつけることができる。
【００２１】
実施例において、第一本体１、第二本体２および第一接続部３は一体的に形成され、第一本体１と第二本体２のうちの少なくとも一方は、透明な材料を使用して透明な窓を形成し、それにより、ユーザーは、マスクが入れるかどうかおよびマスクの状態を観察しやすい。第一接続部３に対向する第一本体１の他端と第一接続部３に対向する第二本体２の他端は、スナップ、ベルクロ(登録商標)、スナップなどの接続方式によって取り外し可能に接続される。
【００２２】
図２は本開示の好ましい実施例におけるマスク用封筒の概略図であり、図２に示すとおり、マスク用封筒の第一本体１の側辺は、第一サブユニット４に設けられて第一接続部３に接続された第一側辺１１と、第一サブユニット４と第二サブユニット６を跨る第二側辺１２と、第二サブユニット６に設けられた第三側辺１３と第四側辺１４とを含み、第二本体２は、第三サブユニット７に設けられて第一接続部３に接続された第五側辺１５と、第三サブユニット７と第四サブユニット９を跨る第六側辺１６と、第四サブユニット９に設けられた第七側辺１７と第八側辺１８とを含み、第三側辺１３と第一側辺１１は対向して設置され、第五側辺１５と第七側辺１７は対向して設置され、前記第一側辺１１、第二側辺１２、第三側辺１３、第五側辺１５、第六側辺１６および第七側辺１７のうちの少なくとも一方には、少なくとも１つのスロット１０が設けられる。本開示の提供する図面において、第一サブユニット４にある第二側辺１２の部分に１つのスロット１００が設けられ、第二サブユニット６にある第二側辺１２の部分に１つのスロット１０１が設けられ、第三サブユニット７にある第六側辺１６の部分に１つのスロット１０２が設けられ、第四サブユニット９にある第六側辺１６の部分に１つのスロット１０３が設けられ、好ましくは、スロット１００とスロット１０２は第一接続部３に関して対称であり、スロット１０１とスロット１０３は第一接続部３に関して対称であり、スロット１００とスロット１０１は第二接続部５に関して対称であり、スロット１０２とスロット１０３は第三接続部８に関して対称であり、その結果、マスク用封筒が最小の体積に折り畳まれると、マスクの紐結びまたは耳掛け部はスロット１０に埋め込まれて、紐結びおよび耳掛け部の収納をさらに改善し、よりきれいに収納させる。
【００２３】
図３は本開示の好ましい実施例におけるマスク用封筒の概略図（断面図）であり、図４は本開示の好ましい実施例におけるマスク用封筒の概略図（断面図）であり、図３および図４に示すとおり、スロット１０内に曲げフック１９が設けられ、マスクを収納するとき、曲げフック１９の曲げ部は、紐結びまたは耳掛け部を引っ掛け、さらに紐結びまたは耳掛け部をかけ、マスクの耳掛け部または紐結びが他の物体に引っ掛かることを回避することができる。
【００２４】
図５は本開示の好ましい実施例におけるマスク用封筒の概略図であり、図５に示すとおり、第一サブユニット４に設けられた第二側辺１２の部分に１つの固定フック（２０）が設けられ、第三サブユニット７に設けられた第六側辺１６の部分に少なくとも１つの固定フック２０（図示せず）が設けられ、第二サブユニット６が第二接続部５に沿って第一サブユニット４に向かって反転させた後、第二サブユニット６が固定フック２０に挿入され、第四サブユニット９が第三接続部８に沿って第三サブユニット７に向かって反転させた後、第四サブユニット９が固定フック２０に挿入され、続いて、第一本体１と第二本体２を第一接続部３に沿って反転して２つに折り畳み、マスクに対する固定効果をさらに高める。
【００２５】
図６は本開示の好ましい実施例におけるマスク用封筒の概略図であり、図６に示すとおり、第二サブユニット６には、第二サブユニット６の反転方向から離れた表面に第一ファスナー２１が設けられ、第四サブユニット９には、第四サブユニット９の反転方向から離れた表面に第一ファスナー２１と整合する第二ファスナー２２が設けられ、第一ファスナー２１と第四側辺１４の間の距離は、第二ファスナー２２と第八側辺１８の間の距離に等しく、その結果、マスクを収納するとき、第二サブユニット６は、第二接続部５に沿って第一サブユニット４に向かって反転し、第四サブユニット９は、第三接続部８に沿って第三サブユニット７に向かって反転し、その後、第一本体１と第二本体２が第一接続部３に沿って反転して２つに折り畳むと、第一ファスナー２１と第二ファスナー２２がちょうど整合して、第一本体１と第二本体２をしっかりと固定させ、第一ファスナー２１と第二ファスナー２２は、整合して使用するベルクロ(登録商標)、スナップ、ボタンなどであってもよく、マスクが使用されないときにマスク用封筒が広がる可能性が回避される。
【００２６】
図７は本開示の好ましい実施例におけるマスク用封筒の概略図であり、図７に示すとおり、第四サブユニット９には、第四サブユニット９の反転方向に近い表面に第一ファスナー２１と整合する第三ファスナー２３が設けられる。マスク用封筒を開くと、第二サブユニット６を第四サブユニット９に積み重ねられ、第一ファスナー２１と第二ファスナー２２はちょうど整合して、第二サブユニット６と第四サブユニット９を固定させ、第一ファスナー２１と第三ファスナー２３は、整合して使用するベルクロ(登録商標)、スナップ、ボタンなどであってもよく、その結果、マスクの口当て部が直立状態になり、飲食または飲水のとき、着用者はマスクを内面に沿って折り畳み、そしてマスクを広げずにマスク用封筒に置くことができる。
【００２７】
上記は、本開示の好ましい実施形態にすぎないが、当業者にとって、本開示の技術的原理から逸脱することなく、いくつかの改善および置換も行うことができ、これらの改善および置換もまた、本開示の保護範囲と見なされるべきである。
【符号の説明】
【００２８】
１…第一本体、２…第二本体、３…第一接続部、４…第一サブユニット、５…第二接続部、６…第二サブユニット、７…第三サブユニット、８…第三接続部、９…第四サブユニット、１０…スロット、１００…スロット、１０１…スロット、１０２…スロット、１０３…スロット、１１…第一側辺、１２…第二側辺、１３…第三側辺、１４…第四側辺、１５…第五側辺、１６…第六側辺、１７…第七側辺、１８…第八側辺、１９…曲げフック、２０…固定フック、２１…第一ファスナー、２２…第二ファスナー、２３…第三ファスナー。
【図１】
0003227555.tif 000003
【図２】
0003227555.tif 000004
【図３】
0003227555.tif 000005
【図４】
0003227555.tif 000006
【図５】
0003227555.tif 000007
【図６】
0003227555.tif 000008
【図７】
0003227555.tif 000009